(57)【特許請求の範囲】
【請求項１】
情報作成装置で作成した作成データまたは該作成データの形式を変換した変換データを通信装置を介して相手先の受信装置へ送信する通信システムであって、前記情報作成装置は、前記受信装置の解像度を含む能力を判断する手段と、判断した能力に応じて前記作成データ及び複数種の前記変換データの中の何れか一つを選択して前記通信装置へ出力する手段とを有することを特徴とする通信システム。
【請求項２】
通信装置に接続されたコンピュータに、相手先の受信装置へ送信すべきページ記述言語で表された画像情報に基づく通信データを前記通信装置へ出力させるコンピュータプログラムにおいて、コンピュータに、前記受信装置の解像度を含む能力を判断させるステップと、コンピュータに、前記受信装置がページ記述言語に対応可能であるか否かを判断させるステップと、コンピュータに、前記受信装置がページ記述言語に対応可能である場合に、ページ記述言語で表された前記画像情報を前記通信データとして前記通信装置へ出力させるステップと、コンピュータに、前記受信装置がページ記述言語に対応不可能である場合に、ページ記述言語で表された前記画像情報を前記受信装置の解像度に応じたイメージデータに変換させるステップと、コンピュータに、変換したイメージデータを前記通信データとして前記通信装置へ出力させるステップとを有することを特徴とするコンピュータプログラム。
【請求項３】
ページ記述言語で表された画像情報を作成する情報作成装置から、前記画像情報または前記画像情報から変換されたイメージデータとその宛先情報とが入力され、前記宛先情報で特定される受信装置へ前記画像情報または前記イメージデータを送信する通信装置であって、前記受信装置の能力を前記情報作成装置へ送出する手段を備えることを特徴とする通信装置。
【請求項４】
前記情報作成装置から前記画像情報が入力された場合に、前記画像情報を前記受信装置へ送信し、前記情報作成装置から前記イメージデータが入力された場合には、前記受信装置との通信プロトコルから取得した前記受信装置の解像度に応じて前記イメージデータに解像度変換処理を施して前記受信装置へ送信する手段を備える請求項３記載の通信装置。
【発明の詳細な説明】
【０００１】
【発明の属する技術分野】
本発明は、パーソナルコンピュータ(Personal Computer，以下、ＰＣという）などの情報作成装置で作成された画像情報を通信する通信システム、前記画像情報の出力をコンピュータに実行させるためのコンピュータプログラム、及び、前記画像情報をファクシミリ装置などの受信装置へ送信する通信装置に関する。
【０００２】
【従来の技術】
本来のコピー機能，ファクシミリ機能に加えて、ＰＣと通信回線を介して接続されており、ＰＣから送られる画像情報を他のファクシミリ装置へ送信する送信機能、及び、その画像情報をプリントアウトするプリンタ機能を備えた機能複合型のファクシミリ装置が開発されている。
【０００３】
このような機能複合型のファクシミリ装置にあって他のファクシミリ装置へＰＣからの画像情報を伝送する場合、ＰＣからプリンタに通常送られるページ記述言語(Page Description Language：ＰＤＬ）で表された画像情報（ＰＤＬデータ）と宛先情報（送信相手先のファクシミリ番号）などが盛り込まれたＰＪＬ（Print Job Language）データとを通信データとしてＰＣから入力し、そのＰＤＬデータを送信相手先のファクシミリ装置の能力に応じたイメージデータに変換し、変換したイメージデータをそのファクシミリ装置へ送信することが一般的である。
【０００４】
【発明が解決しようとする課題】
従って、ＰＣに接続されており、ＰＣからの画像情報を他のファクシミリ装置へ中継送信する通信装置については、ＰＤＬデータ即ちページ記述言語の解釈機能が必須であり、この解釈機能を持たない通信装置（ファクシミリ装置）は中継送信を行えないという問題がある。
【０００５】
本発明は斯かる事情に鑑みてなされたものであり、中継送信用の通信装置でのＰＤＬデータ（ページ記述言語）の解釈機能を不要とできる通信システム及びコンピュータプログラムを提供することを目的とする。
【０００６】
本発明の更に他の目的は、ＰＤＬデータ（ページ記述言語）の解釈機能を持たなくても、ＰＣなどの情報作成装置からの画像情報を宛先情報で特定される受信装置へ送信できる通信装置を提供することにある。
【０００７】
【課題を解決するための手段】
請求項１に係る通信システムは、情報作成装置で作成した作成データまたは該作成データの形式を変換した変換データを通信装置を介して相手先の受信装置へ送信する通信システムであって、前記情報作成装置は、前記受信装置の解像度を含む能力を判断する手段と、判断した能力に応じて前記作成データ及び複数種の前記変換データの中の何れか一つを選択して前記通信装置へ出力する手段とを有することを特徴とする。
【０００８】
請求項１にあっては、情報作成装置が、送信相手先である受信装置の解像度を含む能力を判断し、その能力に応じたデータを通信装置へ出力する。つまり、情報作成装置は、作成したページ記述言語で表された画像情報（ＰＤＬデータ）について、受信装置の能力に応じて、ＰＤＬデータをそのままの形式で通信装置へ出力したり、ＰＤＬデータを受信装置の解像度に応じて他の形式に変換させたものを通信装置へ出力したりする。よって、ＰＣなどの情報作成装置側にて、送信相手先の受信装置の能力に合わせた処理を済ませているので、ページ記述言語の解釈機能を持たない通信装置であっても、宛先情報で特定される受信装置への送信を支障無く行える。
【０００９】
請求項２に係るコンピュータプログラムは、通信装置に接続されたコンピュータに、相手先の受信装置へ送信すべきページ記述言語で表された画像情報に基づく通信データを前記通信装置へ出力させるコンピュータプログラムにおいて、コンピュータに、前記受信装置の解像度を含む能力を判断させるステップと、コンピュータに、前記受信装置がページ記述言語に対応可能であるか否かを判断させるステップと、コンピュータに、前記受信装置がページ記述言語に対応可能である場合に、ページ記述言語で表された前記画像情報を前記通信データとして前記通信装置へ出力させるステップと、コンピュータに、前記受信装置がページ記述言語に対応不可能である場合に、ページ記述言語で表された前記画像情報を前記受信装置の解像度に応じたイメージデータに変換させるステップと、コンピュータに、変換したイメージデータを前記通信データとして前記通信装置へ出力させるステップとを有することを特徴とする。
【００１０】
請求項２にあっては、送信相手先である受信装置の解像度を含む能力が判断され、その能力に応じた通信データが通信装置へ出力される。よって、送信相手先の受信装置の能力に合わせた通信データであるため、ページ記述言語の解釈機能を持たない通信装置を使用しても、宛先情報で特定される受信装置への送信を支障無く行える。また、送信相手先である受信装置がＰＤＬデータに対応可能である場合に、入力されるＰＤＬデータがそのままの形式で通信装置へ出力される。よって、ページ記述言語の解釈機能を持たない通信装置も中継用の通信装置として使用可能である。また、送信相手先である受信装置がＰＤＬデータに対応不可能である場合に、入力されるＰＤＬデータがその受信装置の解像度に応じたイメージデータに変換されて、そのイメージデータが通信装置へ出力される。よって、中継する通信装置にてＰＤＬデータからイメージデータへ変換する必要がなく、ページ記述言語の解釈機能を持たない通信装置も中継用の通信装置として使用可能である。更に、その通信装置には、解像度変換機能も不要となる。
【００１７】
請求項３に係る通信装置は、ページ記述言語で表された画像情報を作成する情報作成装置から、前記画像情報または前記画像情報から変換されたイメージデータとその宛先情報とが入力され、前記宛先情報で特定される受信装置へ前記画像情報または前記イメージデータを送信する通信装置であって、前記受信装置の能力を前記情報作成装置へ送出する手段を備えることを特徴とする。
【００１８】
請求項３にあっては、通信装置が、送信相手先である受信装置との通信プロトコルからその受信装置の能力を取得し、取得した能力の情報を情報作成装置へ送出する。よって、情報作成装置側において、受信装置の能力を取得しておけるので、次回の送信時に、その受信装置の能力に応じた適切な通信データが通信装置へ出力される。
【００１９】
請求項４に係る通信装置は、請求項３において、前記情報作成装置から前記画像情報が入力された場合に、前記画像情報を前記受信装置へ送信し、前記情報作成装置から前記イメージデータが入力された場合には、前記受信装置との通信プロトコルから取得した前記受信装置の解像度に応じて前記イメージデータに解像度変換処理を施して前記受信装置へ送信する手段を備えることを特徴とする。
【００２０】
請求項４にあっては、通信装置が、情報作成装置からＰＤＬデータが入力された場合にはそのままＰＤＬデータを宛先情報で特定される受信装置へ送信し、イメージデータが入力された場合には宛先情報で特定される受信装置の解像度に応じてそのイメージデータに解像度変換処理を施してその受信装置へ送信する。よって、通信装置には、解像度変換処理機能があれば良く、ページ記述言語の解釈機能は不要である。
【００２１】
【発明の実施の形態】
以下、本発明をその実施の形態を示す図面を参照して具体的に説明する。
図１は、本発明におけるシステムの全体構成を示す模式図である。図１において１，２は夫々、本発明の通信装置としてのファクシミリ装置，情報作成装置としてのＰＣである。ファクシミリ装置１とＰＣ２とは通信回線Ｃを介して接続されている。ファクシミリ装置１は、受信装置としての複数のファクシミリ装置３，３，…，３との間で、電話回線網を介して画データの送受信を双方向に行う。
【００２２】
図２は、本発明のファクシミリ装置１の構成を示すブロック図であり、ファクシミリ装置１は、主制御部１１，読取部１２，記録部１３，表示部１４，操作部１５，符号化・復号化部１６，ＲＯＭ１７，ＲＡＭ１８，画像メモリ１９，モデム２０，ＮＣＵ（Network Control Unit）２１，ＰＣインタフェース部２２などを備えている。ファクシミリ装置１は、本来のファクシミリ機能，コピー機能に加えて、ＰＣ２に接続することにより、ＰＣ２から送られる通信データを、所望の相手先のファクシミリ装置３へ送信する送信機能を有している。但し、本発明のファクシミリ装置１は、ページ記述言語即ちＰＤＬデータの解釈機能を持っていない。
【００２３】
主制御部１１は、具体的にはＣＰＵで構成されており、バス２３を介してファクシミリ装置１の上述したようなハードウェア各部と接続されていて、それらを制御すると共に、ＲＯＭ１７に格納された制御プログラムに従って、種々のソフトウェア的機能を実行する。読取部１２は、例えばＣＣＤを利用したスキャナで原稿を読み取り、読み取った画データを出力する。記録部１３は、電子写真方式のプリンタ装置であって、ファクシミリ通信により受信した画データ、読取部２にて読み取った原稿の画データ、ＰＣ２から送られてきた通信データなどをプリントアウトする。
【００２４】
表示部１４は、液晶表示装置またはＣＲＴディスプレイ等の表示装置であり、ファクシミリ装置１の動作状態を表示したり、送信すべく読み取った原稿の画データ、他のファクシミリ装置３から受信した画データ、ＰＣ２から送られてきた通信データなどの表示を行う。操作部１５は、ファクシミリ装置１を操作するために必要な文字キー，テンキー，短縮ダイヤルキー，ワンタッチダイヤルキー，各種のファンクションキーなどを備えている。なお、表示部１４をタッチパネル方式とすることにより、操作部１５の各種のキーの内の一部または全部を代用することも可能である。符号化・復号化部１６は、画信号を符号化圧縮すると共に、符号化圧縮されている画像データを元の画信号に復号化する。
【００２５】
ＲＯＭ１７は、ファクシミリ装置１の動作に必要な種々のソフトウェアのプログラムを予め格納している。ＲＡＭ１８は、ＳＲＡＭまたはフラッシュメモリ等で構成され、ソフトウェアの実行時に発生する一時的なデータを記憶する。画像メモリ１９は、ＤＲＡＭ等で構成され、送信すべく読み取った画データ、他のファクシミリ装置３から受信した画データ、ＰＣ２から送られてきた通信データなどを蓄積する。
【００２６】
モデム２０は、バス２３に接続されており、ファクシミリ通信が可能なファクシミリモデムから構成されている。また、モデム２０は、同様にバス２３に接続されたＮＣＵ２１と直接的に接続されている。ＮＣＵ２１は、電話回線網との回線Ｌの閉結及び開放の動作を行うハードウェアであり、必要に応じてモデム２０を電話回線網と接続する。
【００２７】
ＰＣインタフェース部２２は、通信回線Ｃを介してＰＣ２（後述するファクシミリインタフェース部３７）に接続されており、ＰＣ２との間でデータのやりとりを行う。また、ＰＣインタフェース部２２は、ＰＣ２からのコマンドを解析して、その解析結果に基づく処理を行うと共に、ＰＣ２から送られてくるイメージデータに対して、必要に応じて解像度変換処理を施す。
【００２８】
図３は、ＰＣ２の機能ブロック図であり、ＰＣ２は、ＣＰＵ３１，符号化・復号化部３２，ＲＯＭ３３，ＲＡＭ３４，画像メモリ３５，情報変換部３６，ファクシミリインタフェース部３７，記憶部３８，補助記憶部３９などを備えている。
【００２９】
ＣＰＵ３１は、バス４０を介してＰＣ２の上述したようなハードウェア各部と接続されていて、ＲＯＭ３３に格納された制御プログラムに従って、それらを制御する。符号化・復号化部３２は、画信号を符号化圧縮すると共に、符号化圧縮されている画像情報を元の画信号に復号化する。
【００３０】
ＲＯＭ３３は、ＰＣ２の制御動作に必要な種々のソフトウェアのプログラムを予め格納している。ＲＡＭ３４は、ＳＲＡＭまたはフラッシュメモリ等で構成され、ソフトウェアの実行時に発生する一時的なデータを記憶する。また、ＲＡＭ３４は、過去に通信を行ったことがある通信相手先のファクシミリ装置３の能力を示す情報（ＰＤＬデータへの対応が可能か否かを示す情報、最大解像度能力を示す情報、用紙幅能力を示す情報など）をそのファクシミリ装置３のファクシミリ番号と共に登録している能力履歴情報ファイル３４ａを有している。画像メモリ３５は、作成した画像情報（ＰＤＬデータ），そのＰＤＬデータを変換したイメージデータなどを蓄積する。
【００３１】
情報変換部は３６は、作成されたＰＤＬデータをイメージデータに変換し、また必要に応じてそのイメージデータに対して解像度変換処理を施す。ファクシミリインタフェース部３７は、通信回線Ｃを介してファクシミリ装置１（ＰＣインタフェース部２２）に接続されており、ファクシミリ装置１との間でデータのやりとりを行う。
【００３２】
ハードディスクのような記憶装置からなる記憶部３８は、本発明のコンピュータプログラムがインストールされており、そのコンピュータプログラムが起動された場合に、所定のコンピュータプログラム部分がＲＡＭ３４上に展開され、所定の処理が実行される。補助記憶部３９は、本発明のコンピュータプログラムを記録したＣＤ−ＲＯＭなどの記録媒体４からコンピュータプログラムを読み取るＣＤ−ＲＯＭドライブからなり、読み取られたコンピュータプログラムは、記憶部３８に記憶される。
【００３３】
次に、このような構成をなすファクシミリ装置１及びＰＣ２の動作処理について説明する。
【００３４】
動作処理には、２つのモードが存在する。即ち、送信相手先のファクシミリ装置３の能力（ＰＤＬデータへの対応能力及び解像度能力）に基づいて、ＰＤＬデータからイメージデータへの変換だけでなく必要に応じてその解像度変換処理もＰＣ２側で行う第１のモードと、送信相手先のファクシミリ装置３の能力（ＰＤＬデータへの対応能力及び解像度能力）に基づいて、ＰＤＬデータからイメージデータへの変換はＰＣ２側で行い、解像度変換処理はファクシミリ装置１側で行う第２のモードとが存在する。以下、第１のモードを第１実施の形態、第２のモードを第２実施の形態として、夫々の処理動作について説明する。
【００３５】
（第１実施の形態）
図４は、第１実施の形態におけるＰＣ２側での処理手順を示すフローチャートである。図５は、第１実施の形態におけるファクシミリ装置１側での処理手順を示すフローチャートである。
【００３６】
ＣＰＵ３１は、送信相手先であるファクシミリ装置３のファクシミリ番号がＲＡＭ３４内の能力履歴情報ファイル３４ａに登録されているか否かを判断する（ステップＳ１）。登録されている場合に（Ｓ１：ＹＥＳ）、ＣＰＵ３１は、能力履歴情報ファイル３４ａの登録内容に基づき、その送信相手先のファクシミリ装置３がＰＤＬデータに対応可能であるか否かを判断する（ステップＳ２）。対応可能である場合に（Ｓ２：ＹＥＳ）、ＣＰＵ３１は、そのファクシミリ装置３のファクシミリ番号をＰＪＬデータにてファクシミリ装置１へ出力する（ステップＳ３）と共に、作成した画像情報をＰＤＬデータ形式そのままでファクシミリ装置１へ出力する（ステップＳ４）。
【００３７】
ＰＤＬデータへの対応が不可能である場合に（Ｓ２：ＮＯ）、ＣＰＵ３１は、情報変換部３６にてＰＤＬデータをイメージデータに変換させる（ステップＳ５）。そして、ＣＰＵ３１は、能力履歴情報ファイル３４ａの登録内容に基づき、ＰＤＬデータの解像度に、送信相手先のファクシミリ装置３が対応可能であるか否かを判断する（ステップＳ６）。対応可能である場合に（Ｓ６：ＹＥＳ）、ＣＰＵ３１は、そのファクシミリ装置３のファクシミリ番号をＰＪＬデータにてファクシミリ装置１へ出力し（ステップＳ７）、変換したイメージデータをそのまま符号化してファクシミリ装置１へ出力する（ステップＳ８）。
【００３８】
一方、解像度への対応が不可能である場合に（Ｓ６：ＮＯ）、ＣＰＵ３１は、情報変換部３６により、変換したイメージデータに対して送信相手先のファクシミリ装置３が対応できる最大解像度への解像度変換処理を実行させる（ステップＳ９）。そして、ＣＰＵ３１は、そのファクシミリ装置３のファクシミリ番号をＰＪＬデータにてファクシミリ装置１へ出力し（ステップＳ１０）、処理したイメージデータを符号化してファクシミリ装置１へ出力する（ステップＳ１１）。
【００３９】
送信相手先であるファクシミリ装置３のファクシミリ番号がＲＡＭ３４内の能力履歴情報ファイル３４ａに登録されていない場合に（Ｓ１：ＮＯ）、ＣＰＵ３１は、情報変換部３６にて、ＰＤＬデータを所定の解像度（ファインモード解像度）に応じたイメージデータに変換させ（ステップＳ１２）。そして、ＣＰＵ３１は、そのファクシミリ装置３のファクシミリ番号をＰＪＬデータにてファクシミリ装置１へ出力し（ステップＳ１３）、変換したイメージデータを符号化してファクシミリ装置１へ出力する（ステップＳ１４）。
【００４０】
主制御部１１は、ＰＣ２から通信データを入力したか否かを判断し（ステップＳ２１）、入力した場合には（Ｓ２１：ＹＥＳ）、ＰＣ２から送られてきたＰＪＬデータにて送信相手先であるファクシミリ装置３のファクシミリ番号を取得する（ステップＳ２２）。
【００４１】
主制御部１１は、ＰＣ２から送られてきた通信データがＰＤＬデータであるか否かを判断する（ステップＳ２３）。ＰＤＬデータである場合に（Ｓ２３：ＹＥＳ）、主制御部１１は、ＰＤＬデータ形式そのままで送信相手先のファクシミリ装置３へのバイナリファイル送信を実行する（ステップＳ２４）。
【００４２】
ＰＤＬデータでない場合、即ち、イメージデータがＰＣ２から送られてきた場合（Ｓ２３：ＮＯ）、主制御部１１は、送信相手先のファクシミリ装置３の原稿幅の能力を通信プロトコルから取得して、必要があれば縮小処理を行い、イメージデータを符号化して、送信相手先のファクシミリ装置３へのファクシミリ送信を実行する（ステップＳ２５）。
【００４３】
そして、主制御部１１は、その送信相手先との通信プロトコルにより、その送信相手先のファクシミリ装置３がＰＤＬデータに対応可能であるか否かを判断する（ステップＳ２６）。対応可能である場合に（Ｓ２６：ＹＥＳ）、主制御部１１は、「ＰＤＬデータに対応可能である」旨の情報と通信結果とをＰＣ２へ転送する（ステップＳ２７）。一方、対応不可能である場合に（Ｓ２６：ＮＯ）、主制御部１１は、「ＰＤＬデータに対応不可能である」旨の情報とそのファクシミリ装置３の最大解像度能力と通信結果とをＰＣ２へ転送する（ステップＳ２８）。
【００４４】
このようにＰＣ２へ転送されたファクシミリ装置３の能力を示す情報（ＰＤＬデータへの対応の可否及び最大解像度）は、ＲＡＭ３４内の能力履歴情報ファイル３４ａに、そのファクシミリ番号と共に登録される。
【００４５】
なお、上述した例では、送信相手先のファクシミリ装置３の原稿幅能力に応じた縮小処理を、中継用のファクシミリ装置１にて行う構成としたが、これとは異なり、能力履歴情報ファイル３４ａに各ファクシミリ装置３の原稿幅能力の情報も登録しておくことにより、解像度変換処理に加えてイメージデータの縮小処理もＰＣ２側にて行うようにしても良い。
【００４６】
また、上述した処理手順にあっては、送信相手先のファクシミリ装置３がＰＤＬデータに対応できない場合に（Ｓ２：ＮＯ）、まずＰＤＬデータをイメージデータに変換し（Ｓ５）、能力履歴情報ファイル３４ａの登録内容に基づき、解像度に対応できる場合には（Ｓ６：ＹＥＳ）、変換したイメージデータをそのままファクシミリ装置１へ出力し（Ｓ８）、対応できない場合には（Ｓ６：ＮＯ）、解像度変換処理を施した（Ｓ９）後にファクシミリ装置１へ出力する（Ｓ１１）ようにしたが、これとは異なり、送信相手先のファクシミリ装置３がＰＤＬデータに対応できない場合に（Ｓ２：ＮＯ）、能力履歴情報ファイル３４ａの登録内容（のファクシミリ装置３の能力）に基づいて、ＰＤＬデータを解像度が変わらないイメージデータに変換する処理、または、ＰＤＬデータを解像度を変えたイメージデータに変換する処理の何れかを選択して行うようにしても良い。
【００４７】
（第２実施の形態）
図６は、第２実施の形態におけるＰＣ２側での処理手順を示すフローチャートである。図７は、第２実施の形態におけるファクシミリ装置１側での処理手順を示すフローチャートである。
【００４８】
ＣＰＵ３１は、送信相手先であるファクシミリ装置３のファクシミリ番号がＲＡＭ３４内の能力履歴情報ファイル３４ａに登録されているか否かを判断する（ステップＳ３１）。登録されている場合に（Ｓ３１：ＹＥＳ）、ＣＰＵ３１は、能力履歴情報ファイル３４ａの登録内容に基づき、その送信相手先のファクシミリ装置３がＰＤＬデータに対応可能であるか否かを判断する（ステップＳ３２）。対応可能である場合に（Ｓ３２：ＹＥＳ）、ＣＰＵ３１は、そのファクシミリ装置３のファクシミリ番号をＰＪＬデータにてファクシミリ装置１へ出力する（ステップＳ３３）と共に、作成した画像情報をＰＤＬデータ形式そのままでファクシミリ装置１へ出力する（ステップＳ３４）。
【００４９】
ＰＤＬデータへの対応が不可能である場合に（Ｓ３２：ＮＯ）、ＣＰＵ３１は、情報変換部３６にてＰＤＬデータをイメージデータに変換させる（ステップＳ３５）。そして、ＣＰＵ３１は、そのファクシミリ装置３のファクシミリ番号をＰＪＬデータにてファクシミリ装置１へ出力し（ステップＳ３６）、変換したイメージデータを符号化してファクシミリ装置１へ出力する（ステップＳ３７）。
【００５０】
送信相手先であるファクシミリ装置３のファクシミリ番号がＲＡＭ３４内の能力履歴情報ファイル３４ａに登録されていない場合に（Ｓ３１：ＮＯ）、ＣＰＵ３１は、情報変換部３６にて、ＰＤＬデータを所定の解像度（ファインモード解像度）に応じたイメージデータに変換させる（ステップＳ３８）。そして、ＣＰＵ３１は、そのファクシミリ装置３のファクシミリ番号をＰＪＬデータにてファクシミリ装置１へ出力し（ステップＳ３９）、変換したイメージデータを符号化してファクシミリ装置１へ出力する（ステップＳ４０）。
【００５１】
主制御部１１は、ＰＣ２から通信データを入力したか否かを判断し（ステップＳ４１）、入力した場合には（Ｓ４１：ＹＥＳ）、ＰＣ２から送られてきたＰＪＬデータにて送信相手先であるファクシミリ装置３のファクシミリ番号を取得する（ステップＳ４２）。
【００５２】
主制御部１１は、ＰＣ２から送られてくるデータがＰＤＬデータであるか否かを判断する（ステップＳ４３）。ＰＤＬデータである場合に（Ｓ４３：ＹＥＳ）、主制御部１１は、ＰＤＬデータ形式そのままで送信相手先のファクシミリ装置３へのバイナリファイル送信を実行する（ステップＳ４４）。
【００５３】
ＰＤＬデータでない場合、即ち、イメージデータがＰＣ２から送られてきた場合（Ｓ４３：ＮＯ）、主制御部１１は、入力されたイメージデータの解像度及び原稿幅に、送信相手先のファクシミリ装置３が対応可能であるか否かを判断する（ステップＳ４５）。対応可能である場合に（Ｓ４５：ＹＥＳ）、主制御部１１は、入力したイメージデータをそのまま符号化して、送信相手先のファクシミリ装置３へのファクシミリ送信を実行する（ステップＳ４６）。
【００５４】
一方、解像度及び／または原稿幅への対応が不可能である場合に（Ｓ４５：ＮＯ）、主制御部１１は、入力されたイメージデータに対して解像度変換処理及び／または縮小処理を施し（ステップＳ４７）、処理したイメージデータを符号化して、送信相手先のファクシミリ装置３へのファクシミリ送信を実行する（ステップＳ４８）。
【００５５】
そして、主制御部１１は、その送信相手先との通信プロトコルにより、その送信相手先のファクシミリ装置３がＰＤＬデータに対応可能であるか否かを判断する（ステップＳ４９）。対応可能である場合に（Ｓ４９：ＹＥＳ）、主制御部１１は、「ＰＤＬデータに対応可能である」旨の情報と通信結果とをＰＣ２へ転送する（ステップＳ５０）。一方、対応不可能である場合に（Ｓ４９：ＮＯ）、主制御部１１は、「ＰＤＬデータに対応不可能である」旨の情報と通信結果とをＰＣ２へ転送する（ステップＳ５１）。
【００５６】
このようにＰＣ２へ転送されたファクシミリ装置３の能力を示す情報（ＰＤＬデータへの対応の可否）は、ＲＡＭ３４内の能力履歴情報ファイル３４ａに、そのファクシミリ番号と共に登録される。
【００５７】
なお、上述した第１，第２実施の形態では、能力履歴情報ファイル３４ａの登録内容に基づいて、送信相手先のファクシミリ装置３の能力を取得するようにしたが、これとは異なり、能力履歴情報ファイル３４ａを設けずに、ファクシミリ装置１が通信プロトコルから送信相手先のファクシミリ装置３の能力を検知し、その検知結果をＰＣ２へ伝送するようにして、ＰＣ２がその能力を取得するようにしても良い。
【００５８】
【発明の効果】
以上のように本発明では、送信相手先の受信装置の能力に応じて、情報作成装置で作成したＰＤＬデータをそのままの形式で通信装置へ出力したり、ＰＤＬデータを他の形式に変換させて通信装置へ出力したりするようにしたので、ＰＣなどの情報作成装置側にて、送信相手先の受信装置の能力に合わせた処理を済ませているため、ページ記述言語の解釈機能を持たない通信装置を使用しても、送信相手先である受信装置への送信を支障無く行うことができる。
【００５９】
また本発明では、送信相手先の受信装置がＰＤＬデータに対応可能である場合に、情報処理装置からＰＤＬデータをそのままの形式で通信装置へ出力するようにしたので、ページ記述言語の解釈機能を持たない通信装置を中継用の通信装置として使用することができる。
【００６０】
また本発明では、送信相手先の受信装置がＰＤＬデータに対応不可能である場合に、その受信装置の解像度に応じてＰＤＬデータをイメージデータに変換して通信装置へ出力するようにしたので、中継する通信装置にてＰＤＬデータからイメージデータへ変換する必要がなく、ページ記述言語の解釈機能及び解像度変換機能を持たない通信装置を中継用の通信装置として使用することができる。
【００６１】
また本発明では、送信相手先の受信装置がＰＤＬデータに対応不可能である場合に、ＰＤＬデータをイメージデータに変換して通信装置へ出力するようにしたので、中継する通信装置にてＰＤＬデータからイメージデータへ変換する必要がなく、ページ記述言語の解釈機能を持たない通信装置を中継用の通信装置として使用することができる。
【００６２】
また本発明では、通信装置が、送信相手先の受信装置との通信プロトコルからその受信装置の能力を取得し、取得した能力の情報を情報作成装置へ送出するようにしたので、情報作成装置側において、受信装置の能力を取得しておけるため、次回の送信時に、その送信相手先の受信装置の能力に応じた適切な通信データを通信装置へ出力することができる。
【００６３】
更に本発明では、通信装置が、情報作成装置からＰＤＬデータが入力された場合にはそのままＰＤＬデータを送信相手先の受信装置へ送信し、イメージデータが入力された場合には送信相手先の受信装置の解像度に応じてそのイメージデータに解像度変換処理を施してその受信装置へ送信するようにしたので、中継用の通信装置には、解像度変換処理機能があれば良く、ページ記述言語の解釈機能を不要とすることができる。
【図面の簡単な説明】
【図１】本発明におけるシステムの全体構成を示す模式図である。
【図２】本発明のファクシミリ装置（通信装置）の構成を示すブロック図である。
【図３】ＰＣ（情報作成装置）の機能ブロック図である。
【図４】第１実施の形態におけるＰＣ側での処理手順を示すフローチャートである。
【図５】第１実施の形態におけるファクシミリ装置側での処理手順を示すフローチャートである。
【図６】第２実施の形態におけるＰＣ側での処理手順を示すフローチャートである。
【図７】第２実施の形態におけるファクシミリ装置側での処理手順を示すフローチャートである。
【符号の説明】
１  ファクシミリ装置（通信装置）
２  ＰＣ（情報処理装置）
３  ファクシミリ装置（受信装置）
１１  主制御部
１７  ＲＯＭ
２０  モデム
２１  ＮＣＵ
２２  ＰＣインタフェース部
３１  ＣＰＵ
３３  ＲＯＭ
３４  ＲＡＭ
３４ａ  能力履歴情報ファイル
３６  情報変換部
３８  記憶部
３９  補助記憶部
【図１】
0003669338.tif 000002
【図２】
0003669338.tif 000003
【図３】
0003669338.tif 000004
【図４】
0003669338.tif 000005
【図５】
0003669338.tif 000006
【図６】
0003669338.tif 000007
【図７】
0003669338.tif 000008